(57)【特許請求の範囲】
【請求項１】
周壁(1)を形成するため、前面板(3)、一対の側面板(4)及び後面板(5)を連設し、これらの下端からそれぞれ前底板(7)、側底板(8)及び後底板(9)を延出し、一対の側底板(8)を前底板(7)及び後底板(9)を挟み互い違いに重ねて底壁(2)を形成し、商品包装時には、商品を前後に並べて収納し、商品展示時には、上部を開口させて商品を露出させ、後底板(9)から立ち上がる支持板(10)で商品の前倒れを防止する包装展示兼用箱において、前記側底板(8)のうち、組立時に後部が上方に重なる側底板(8)を、支持板(10)との干渉を回避するように切り欠き、その切欠部分の端縁に後方へ突出した押圧片(17)を設けると共に、押圧片(17)に臨んでこの側底板(8)の基部側に凹所(17a)を設け、底壁(2)の形成に際し、押圧片(17)が支持板(10)の基部を押圧して、支持板(10)を後傾させることを特徴とする包装展示兼用箱。
【発明の詳細な説明】
【技術分野】
【０００１】
この発明は、商品の包装及び展示に兼用され、商品展示時には、商品のフェイス面が見えるように前倒れを防止して、訴求性を維持する紙箱に関するものである。
【背景技術】
【０００２】
従来、下記特許文献１に記載された包装展示兼用箱は、上部を開口させた状態で図８に示すように、周壁５１を形成するため、前面板５３、一対の側面板５４及び後面板５５を継代片５６を介して連設し、これらの下端からそれぞれ前底板５７、側底板５８及び後底板５９を延出し、一対の側底板５８をそれぞれ前底板５３及び後底板５９を挟み互い違いに重ねて底壁５２を形成したものとされている。
【０００３】
また、後底板５９には、前方へ向けて延びる支持板６０が連設され、支持板６０には、基端に折目線６０ａが、中間部に折目線６０ｂがそれぞれ入れられている。一方の側底板５８には保持片５８ａ，５８ｂが、他方の側底板５８には保持片５８ｃ，５８ｄがそれぞれ切込を入れて形成されている。
【０００４】
このような箱で商品Ｔを包装する際には、商品Ｔを前後に並べて収納し、商品Ｔを展示する際には、前面板５３及び側面板５４を切断することにより、図示のように箱の上部を開口させ、商品Ｔを露出させる。
【０００５】
そして、商品Ｔが抜き取られて、箱内の商品Ｔの残存数が減少した場合、折目線６０ａで折り曲げて立ち上がらせた支持板６０を、保持片５８ａ，５８ｂにより挟んで起立状態に保持し、商品Ｔを支持板６０に凭れさせて、商品Ｔの前倒れを防止する。
【０００６】
その後、さらに商品Ｔが減少した場合、図９に示すように、支持板６０を折目線６０ｂで折り曲げて、図６の状態よりも前方で立ち上がらせ、保持片５８ｃ，５８ｄにより挟んで起立状態に保持し、商品Ｔを支持板６０に凭れさせて、商品Ｔの前倒れを防止する。
【先行技術文献】
【特許文献】
【０００７】
【特許文献１】特開２００８−２３９１９３号公報
【発明の概要】
【発明が解決しようとする課題】
【０００８】
しかしながら、上記のような包装展示兼用箱では、商品が前側のものから取り出されると、手作業で残存した商品を前側に寄せて、これらの商品を支持板に凭れさせなければならず、商品の残存数を監視して、支持板を起立状態に保持する作業を行なう必要があり、手間がかかるという問題がある。
【０００９】
そこで、この発明は、店頭で煩わしい作業を行なうことなく、商品の前倒れ防止機能が発揮されるようにすることを課題とする。
【課題を解決するための手段】
【００１０】
上記課題を解決するため、この発明は、周壁を形成するため、前面板、一対の側面板及び後面板を連設し、これらの下端からそれぞれ前底板、側底板及び後底板を延出し、一対の側底板を前底板及び後底板を挟み互い違いに重ねて底壁を形成し、商品包装時には、商品を前後に並べて収納し、商品展示時には、上部を開口させて商品を露出させ、後底板から立ち上がる支持板で商品の前倒れを防止する包装展示兼用箱において、前記側底板を、支持板との干渉を回避するように切り欠き、その切欠部分の端縁に後方へ突出した押圧片を設け、底壁の形成に際し、押圧片が支持板の基部を押圧して、支持板を後傾させるようにしたのである。
【発明の効果】
【００１１】
この包装展示兼用箱では、箱の組立と同時に支持板が後傾し、商品の展示状態で、前後に並んだ商品の残存数が少なくなると、商品の下部が前方へ自然に滑り出して、前側の商品ほど大きく後傾するので、店頭で煩わしい作業を行なうことなく、商品の前倒れを確実に防止し、商品のフェイス面を上前方へ向けて、訴求性を維持することができる。
【図面の簡単な説明】
【００１２】
【図１】この発明の実施形態に係る包装展示兼用箱のブランクを示す図
【図２】同上の折畳状態を示す図
【図３】同上の組立過程を示す斜視図
【図４】同上の包装状態を示す斜視図
【図５】同上の縦断側面図
【図６】同上の展示状態を示す斜視図
【図７】同上の縦断側面図
【図８】（ａ）従来の包装展示兼用箱の支持板起立状態を示す斜視図、（ｂ）同上の商品が支持板に凭れた状態を示す概略縦断側面図
【図９】（ａ）同上の他の状態を示す斜視図、（ｂ）同上の商品が支持板に凭れた状態を示す概略縦断側面図
【発明を実施するための形態】
【００１３】
以下、この発明の実施形態を添付図面に基づいて説明する。
【００１４】
図１に示すように、この包装展示兼用箱の板紙製ブランクでは、周壁１となる部分の下方に底壁２となる部分を備え、周壁１の部分として、前面板３に側面板４、後面板５、側面板４及び継代片６が順次連設され、底壁２の部分として、前面板３、側面板４及び後面板５の下端からそれぞれ前底板７、側底板８及び後底板９が延出されている。
【００１５】
後底板９の先端には、支持板１０が連設され、支持板１０の基端となる横方向の罫線には、組立時の折曲抵抗を軽減するため、長い切目が入れられている。
【００１６】
前面板３の上端には、蓋板１１及び差込片１２が順次連設され、側面板４の上端には、蓋受片１３が連設されている。
【００１７】
前面板３及び継代片６には、それぞれ側面板４との境界に沿って、上端から高さ方向の中間下部へかけて縦方向にジッパ型の切目線１４が設けられ、切目線１４の下端から横方向にミシン目状の切目線１５が設けられている。側面板４には、切目線１４の下端から反対側の上角へかけて斜め方向にジッパ型の切目線１６が設けられている。
【００１８】
一対の側底板８には、組立時に底壁２の一方の対角となる角を二等分するように、斜め方向の折目線８ａが設けられ、組立時に後部が上方に重なる側底板８は、支持板１０との干渉を回避するように切り欠かれて、その切欠部分の端縁に、後方へ突出した押圧片１７が設けられている。
【００１９】
ここで、切欠部分の深さをＡとし、押圧片１７の突出量をＢとした場合、後底板９の長さもＡとし、Ｂの大きさは、後述するように支持板１０を確実に傾斜させるため、最小１ｍｍ以上とし、最大Ａ／３以下とする。支持板１０の長さＣは、後底板９の長さＡよりも大きく設定しておく。
【００２０】
上記のようなブランクからこの箱を製造する際には、図２に示すように、ブランクを周壁１の部分で折り重ね、継代片６を前面板３の内面に貼り付けると共に、側底板８を折目線８ａに沿って二つ折りし、その折目線８ａより先端側の部分を前底板７又は後底板９の外面に貼り付けて、扁平な折畳状態としておく。このような折畳状態で菓子メーカー等の使用者へ納品すると、嵩張ることがない。
【００２１】
そして、使用者が箱を組み立てる際には、図３に示すように、前面板３、一対の側面板４及び後面板５を平行四辺形をなすように広げて、周壁１を角筒状とし、これに伴い、側底板８を折目線８ａに沿って折り曲げた状態から伸長して、一対の側底板８を、前底板７及び後底板９を挟み互い違いに重ねて、底壁２を形成する。
【００２２】
このとき、支持板１０の基部が押圧片１７で押圧され、支持板１０が起立し始め、周壁１の稜部が直角になり、底壁２が平坦になると、支持板１０は直立状態を超えて後傾し、支持板１０の先端が後面板５の内面に当接して、支持板１０が安定する。
【００２３】
その後、図４及び図５に示すように、商品Ｓを包装する際には、箱内に袋入の菓子等の商品Ｓを前後に並べて収納すると、商品Ｓは、少し後傾した状態で底壁２の上面に立ち並び、この状態で、蓋受片１３を内側水平方向へ折り曲げ、蓋板１１を閉じ、差込片１２を蓋受片１３と後面板５の間に差し込んで封緘する。
【００２４】
一方、店頭で商品Ｓを展示する際には、差込片１２を蓋受片１３と後面板５の間から引き抜いて、蓋板１１を開き、切目線１４，１５を切断し、また切目線１６を切断して、切目線１５，１６の上方部分を除去すると、図６及び図７に示すように、箱の前上部が開口し、その開口から商品Ｓが露出した展示状態となる。
【００２５】
上記のような包装展示兼用箱では、箱の組立と同時に支持板１０が後傾し、展示状態で商品Ｓが前側のものから取り出され、商品Ｓの残存数が少なくなると、商品Ｓの下部が前方へ自然に滑り出して、前側の商品Ｓほど大きく後傾するので、店頭で煩わしい作業を行なうことなく、商品Ｓの前倒れを確実に防止し、商品Ｓのフェイス面を上前方へ向けて、訴求性を維持することができる。
【００２６】
なお、上記実施形態では、周壁１に蓋板１１が連設されたものを例示したが、蓋が別体となった箱や、商品包装時にラップ掛け等により商品を包み込む蓋のないトレー状の箱においても、同様の構成を適用することができる。
【符号の説明】
【００２７】
１  周壁
２  底壁
３  前面板
４  側面板
５  後面板
６  継代片
７  前底板
８  側底板
８ａ  折目線
９  後底板
１０  支持板
１１  蓋板
１２  差込片
１３  蓋受片
１４，１５，１６  切目線
１７  押圧片
【図１】
0005451460.tif 000002
【図２】
0005451460.tif 000003
【図３】
0005451460.tif 000004
【図４】
0005451460.tif 000005
【図５】
0005451460.tif 000006
【図６】
0005451460.tif 000007
【図７】
0005451460.tif 000008
【図８】
0005451460.tif 000009
【図９】
0005451460.tif 000010